(57)【要約】【課題】発電効率の向上に資する裏面電極型太陽電池セルを提供する。【解決手段】裏面電極型太陽電池セルは、第１方向に延在または点在し、前記第１方向と交差する第２方向に交互に配置される第１電極と第２電極とを備え、前記第２方向において隣り合う前記第１電極と前記第２電極との間隔が第１間隔となる第１領域と、前記第２方向において隣り合う前記第１電極と前記第２電極との間隔が前記第１間隔よりも広い第２間隔となる第２領域とを含む。【選択図】図２
2014013817.tif 000002
【特許請求の範囲】
【請求項１】
第１方向に延在または点在し、前記第１方向と交差する第２方向に交互に配置される第１電極と第２電極とを備えた裏面電極型太陽電池セルであって、
前記第２方向において隣り合う前記第１電極と前記第２電極との間隔が第１間隔となる第１領域と、
前記第２方向において隣り合う前記第１電極と前記第２電極との間隔が前記第１間隔よりも広い第２間隔となる第２領域とを含む、裏面電極型太陽電池セル。
【請求項２】
前記第１領域は前記第２方向において前記第２領域よりも前記裏面電極型太陽電池セルの中心側に配置されている、請求項１に記載の裏面電極型太陽電池セル。
【請求項３】
前記裏面電極型太陽電池セルと配線シートとを接続する際に前記裏面電極型太陽電池セルと前記配線シートとの相対的な位置を決めるための位置決め用基準部を備え、
前記位置決め用基準部は前記第２領域よりも前記第１領域に近い位置に配置される、請求項１または２に記載の裏面電極型太陽電池セル。
【請求項４】
前記位置決め用基準部は前記第１領域内に配置される、請求項３に記載の裏面電極型太陽電池セル。
【請求項５】
前記位置決め用基準部は前記裏面電極型太陽電池セルの前記第１方向における両端部にそれぞれ配置される、請求項３または４に記載の裏面電極型太陽電池セル。
【請求項６】
前記第１領域と前記第２領域との間に、
前記第２方向において隣り合う前記第１電極と前記第２電極との間隔が前記第１間隔よりも広く前記第２間隔より狭い第３間隔となる第３領域をさらに含み、
前記第３領域は前記第１領域と前記第２領域との間に配置される、請求項１〜５のいずれか１項に記載の裏面電極型太陽電池セル。
【請求項７】
前記第３間隔は、全て同一、または、前記第１領域側から前記第２領域側にかけて段階的に広くなる、請求項６に記載の裏面電極型太陽電池セル。
【請求項８】
裏面電極型太陽電池セルが配置されて接続されるセル配置部を備えた配線シートであって、
第１方向に延在または点在し、前記第１方向と交差する第２方向に交互に配置される第１配線と第２配線とを前記セル配置部に備え、
前記セル配置部は、
前記第２方向において隣り合う前記第１配線と前記第２配線との間隔が第１間隔となる第１領域と、
前記第２方向において隣り合う前記第１配線と前記第２配線との間隔が前記第１間隔よりも広い第２間隔となる第２領域とを含む、配線シート。
【請求項９】
前記第１領域は前記第２方向において前記第２領域よりも前記セル配置部の中心側に配置されている、請求項８に記載の配線シート。
【請求項１０】
前記第２領域における前記第１配線および前記第２配線の前記第２方向の幅は、前記第１領域における前記第１配線および前記第２配線の前記第２方向の幅よりも広い、請求項８または９に記載の配線シート。
【請求項１１】
前記裏面電極型太陽電池セルと前記配線シートとを接続する際に前記裏面電極型太陽電池セルと前記配線シートとの相対的な位置を決めるための位置決め用基準部を備え、
前記位置決め用基準部は前記第２領域よりも前記第１領域に近い位置に配置される、請求項８〜１０のいずれか１項に記載の配線シート。
【請求項１２】
前記位置決め用基準部は前記第１領域内に配置される、請求項１１に記載の配線シート。
【請求項１３】
前記位置決め用基準部は前記セル配置部の前記第１方向における両端部にそれぞれ配置される、請求項１１または１２に記載の配線シート。
【請求項１４】
前記セル配置部は、
前記第１領域と前記第２領域との間に、
前記第２方向において隣り合う前記第１電極と前記第２電極との間隔が前記第１間隔よりも広く前記第２間隔より狭い第３間隔となる第３領域をさらに含み、
前記第３領域は前記第１領域と前記第２領域との間に配置される、請求項８〜１３のいずれか１項に記載の配線シート。
【請求項１５】
前記第３領域における前記第１配線および前記第２配線の前記第２方向の幅は、前記第１領域における前記第１配線および前記第２配線の前記第２方向の幅よりも広く、前記第２領域における前記第１配線および前記第２配線の前記第２方向の幅よりも狭い、請求項１４に記載の配線シート。
【請求項１６】
前記第３間隔は、全て同一、または、前記第１領域側から前記第２領域側にかけて段階的に広くなる、請求項１４または１５に記載の配線シート。
【請求項１７】
前記第３領域における前記第１配線および前記第２配線の前記第２方向の幅は、全て同一、または、前記第１領域側から前記第２領域側にかけて段階的に広くなる、請求項１６に記載の配線シート。
【請求項１８】
請求項１〜７のいずれか１項に記載の裏面電極型太陽電池セルと、
請求項８〜１７のいずれか１項に記載の配線シートとを備える、配線シート付き太陽電池セル。
【請求項１９】
請求項１８に記載の配線シート付き太陽電池セルを備える、太陽電池モジュール。
【発明の詳細な説明】
【技術分野】
【０００１】
本発明は、裏面電極型太陽電池セル、配線シート、配線シート付き太陽電池セル、及び太陽電池モジュールに関する。
【背景技術】
【０００２】
近年、太陽電池の発電効率向上のために、受光面である表面側に電極を設けず、受光面とは反対側の裏面にＰ型集電層（電極）とＮ型集電層（電極）の双方を設けて電極によるシャドーロスを無くした裏面電極型太陽電池セルが開発されている。
【０００３】
例えば、特許文献１には、直線状に延在し互いに交互に配置された第１電極および第２電極を備えた裏面電極型太陽電池セルと、裏面電極型太陽電池セルの第１電極と第２電極とにそれぞれ対応するように櫛歯状に配置された第１配線と第２配線とを備えた配線シートとが開示されている。
【０００４】
そして、特許文献１には、裏面電極型太陽電池セルの電極パターンの領域内にアライメントマークを設ける技術、配線シートの配線パターンに異形状部を設ける技術、及びアライメントマークや異形状部を使用して裏面電極型太陽電池セルと配線シートとを精度よく位置合わせすることができる技術が開示されている。
【先行技術文献】
【特許文献】
【０００５】
【特許文献１】国際公開第２０１１／０９０１６９号
【発明の概要】
【発明が解決しようとする課題】
【０００６】
太陽電池セルの受光面に光が照射されると、光励起により電子と正孔の対が発生する。光励起により発生した電子がＮ型集電層（電極）に到達し、光励起により発生した正孔がＰ型集電層（電極）に到達することで発電電力として外部に取り出すことが可能となる。ところが、光励起により電子と正孔の対が発生した場所からＮ型集電層（電極）及びＰ型集電層（電極）までの距離が長いと、電子や正孔が電極に到達する迄に消滅してしまう確率が増え、発電効率が低下する。このため、裏面電極型太陽電池セルの電極間ピッチ及び配線シートの配線間ピッチの狭ピッチ化が図られている。
【０００７】
特許技術１で開示されている技術によって裏面電極型太陽電池セルと配線シートとの位置合わせ精度は格段に向上する。これにより、裏面電極型太陽電池セルの電極間ピッチ及び配線シートの配線間ピッチの狭ピッチ化への対応が可能となる。
【０００８】
特許技術１で開示されている技術は、裏面電極型太陽電池セルと配線シートとの位置ずれによる誤差を小さくできるが、裏面電極型太陽電池セルの電極形成における公差や配線シートの配線形成における公差については対応できない。さらに、裏面電極型太陽電池セルの基板や配線シートの絶縁性基材が熱などによって伸縮するため、電極形成における公差によるずれ量や配線形成における公差によるずれ量は相殺せずに一方向に累積する傾向にある。したがって、電極間ピッチや配線間ピッチはこれらの公差が累積して最大となる値に合わせて設計せざるを得ず、挟ピッチ化による発電効率向上の阻害要因となっている。
【０００９】
本発明は、上記の状況に鑑み、発電効率の向上に資する裏面電極型太陽電池セル、配線シート、配線シート付き太陽電池セル、及び太陽電池モジュールを提供することを目的とする。
【課題を解決するための手段】
【００１０】
上記目的を達成するために本発明に係る裏面電極型太陽電池セルは、第１方向に延在または点在し、前記第１方向と交差する第２方向に交互に配置される第１電極と第２電極とを備え、前記第２方向において隣り合う前記第１電極と前記第２電極との間隔が第１間隔となる第１領域と、前記第２方向において隣り合う前記第１電極と前記第２電極との間隔が前記第１間隔よりも広い第２間隔となる第２領域とを含む構成（第１構成）とする。
【００１１】
また、上記第１構成の裏面電極型太陽電池セルにおいて、前記第１領域は前記第２方向において前記第２領域よりも前記裏面電極型太陽電池セルの中心側に配置されている構成（第２構成）にすることが好ましい。
【００１２】
また、上記第１または第２構成の裏面電極型太陽電池セルにおいて、前記裏面電極型太陽電池セルと配線シートとを接続する際に前記裏面電極型太陽電池セルと前記配線シートとの相対的な位置を決めるための位置決め用基準部を備え、前記位置決め用基準部は前記第２領域よりも前記第１領域に近い位置に配置される構成（第３構成）にすることが好ましい。
【００１３】
また、上記第３構成の裏面電極型太陽電池セルにおいて、前記位置決め用基準部は前記第１領域内に配置される構成（第４構成）にすることが好ましい。
【００１４】
また、上記第３または第４構成の裏面電極型太陽電池セルにおいて、前記位置決め用基準部は前記裏面電極型太陽電池セルの前記第１方向における両端部にそれぞれ配置される構成（第５構成）にすることが好ましい。
【００１５】
また、上記第１〜第５構成のいずれかの裏面電極型太陽電池セルにおいて、前記第１領域と前記第２領域との間に、前記第２方向において隣り合う前記第１電極と前記第２電極との間隔が前記第１間隔よりも広く前記第２間隔より狭い第３間隔となる第３領域をさらに含み、前記第３領域は前記第１領域と前記第２領域との間に配置される構成（第６構成）にすることが好ましい。
【００１６】
また、上記第６構成の裏面電極型太陽電池セルにおいて、前記第３間隔は、全て同一、または、前記第１領域側から前記第２領域側にかけて段階的に広くなる構成（第７構成）にすることが好ましい。
【００１７】
上記目的を達成するために本発明に係る配線シートは、裏面電極型太陽電池セルが配置されて接続されるセル配置部を備えた配線シートであって、第１方向に延在または点在し、前記第１方向と交差する第２方向に交互に配置される第１配線と第２配線とを前記セル配置部に備え、前記セル配置部は、前記第２方向において隣り合う前記第１配線と前記第２配線との間隔が第１間隔となる第１領域と、前記第２方向において隣り合う前記第１配線と前記第２配線との間隔が前記第１間隔よりも広い第２間隔となる第２領域とを含む構成（第８構成）とする。
【００１８】
また、上記第８構成の配線シートにおいて、前記第１領域は前記第２方向において前記第２領域よりも前記セル配置部の中心側に配置されている構成（第９構成）にすることが好ましい。
【００１９】
また、上記第８または第９構成の配線シートにおいて、前記第２領域における前記第１配線および前記第２配線の前記第２方向の幅は、前記第１領域における前記第１配線および前記第２配線の前記第２方向の幅よりも広い構成（第１０構成）にすることが好ましい。
【００２０】
また、上記第８〜第１０構成のいずれかの配線シートにおいて、前記裏面電極型太陽電池セルと前記配線シートとを接続する際に前記裏面電極型太陽電池セルと前記配線シートとの相対的な位置を決めるための位置決め用基準部を備え、前記位置決め用基準部は前記第２領域よりも前記第１領域に近い位置に配置される構成（第１１構成）にすることが好ましい。
【００２１】
また、上記第１１構成の配線シートにおいて、前記位置決め用基準部は前記第１領域内に配置される構成（第１２構成）にすることが好ましい。
【００２２】
また、上記第１１または第１２構成の配線シートにおいて、前記位置決め用基準部は前記セル配置部の前記第１方向における両端部にそれぞれ配置される構成（第１３構成）にすることが好ましい。
【００２３】
また、上記第８〜第１３構成のいずれかの配線シートにおいて、前記セル配置部は、前記第１領域と前記第２領域との間に、前記第２方向において隣り合う前記第１電極と前記第２電極との間隔が前記第１間隔よりも広く前記第２間隔より狭い第３間隔となる第３領域をさらに含み、前記第３領域は前記第１領域と前記第２領域との間に配置される構成（第１４構成）にすることが好ましい。
【００２４】
また、上記第１４構成の配線シートにおいて、前記第３領域における前記第１配線および前記第２配線の前記第２方向の幅は、前記第１領域における前記第１配線および前記第２配線の前記第２方向の幅よりも広く、前記第２領域における前記第１配線および前記第２配線の前記第２方向の幅よりも狭い構成（第１５構成）にすることが好ましい。
【００２５】
また、上記第１４または第１５構成の配線シートにおいて、前記第３間隔は、全て同一、または、前記第１領域側から前記第２領域側にかけて段階的に広くなる構成（第１６構成）にすることが好ましい。
【００２６】
また、上記第１６構成の配線シートにおいて、前記第３領域における前記第１配線および前記第２配線の前記第２方向の幅は、全て同一、または、前記第１領域側から前記第２領域側にかけて段階的に広くなる構成（第１７構成）にすることが好ましい。
【００２７】
上記目的を達成するために本発明に係る配線シート付き太陽電池セルは、上記第１〜第７構成のいずれかの裏面電極型太陽電池セルと、上記第８〜第１７構成のいずれかの配線シートとを備える構成（第１８構成）とする。
【００２８】
上記目的を達成するために本発明に係る太陽電池モジュールは、上記第１８構成の配線シート付き太陽電池セルを備える構成（第１９構成）とする。
【発明の効果】
【００２９】
本発明によると、裏面電極型太陽電池セルの電極と配線シートの配線とがずれ難い場所においては、裏面電極型太陽電池セルの電極と配線シートの配線とがずれ易い場所において必要とされる電極間間隔および配線間間隔に拘束されなくなるため、発電効率の向上に資する裏面電極型太陽電池セル、配線シート、配線シート付き太陽電池セル、及び太陽電池モジュールを実現することができる。
【図面の簡単な説明】
【００３０】
【図１】本発明の第１実施形態に係る配線シート付き太陽電池セルの模式的な縦断面図である。
【図２】本発明の第１実施形態に係る裏面電極型太陽電池セルの模式的な平面図である。
【図３】本発明の第１実施形態に係る配線シートの模式的な平面図である。
【図４】裏面電極型太陽電池セルの電極と配線シートの配線との接続状態を示す模式的な平面図である。
【図５】本発明の第２実施形態に係る裏面電極型太陽電池セルの模式的な平面図である。
【図６】本発明の第２実施形態に係る配線シートの模式的な平面図である。
【図７】本発明に係る太陽電池モジュールの一例の模式的な縦断面図である。
【図８】３つのセル配置部を備える配線シートの一例を示す模式的な平面図である。
【発明を実施するための形態】
【００３１】
本発明の実施形態について図面を参照して以下に説明する。
【００３２】
＜第１実施形態＞
（配線シート付き太陽電池セル）
図１は、本発明の第１実施形態に係る配線シート付き太陽電池セルの模式的な縦断面図である。図１に示す配線シート付き太陽電池セルは、裏面電極型太陽電池セル１０と、配線シート２０とを備えている。
【００３３】
裏面電極型太陽電池セル１０は、例えばｎ型またはｐ型の導電型を有するシリコン基板などの半導体基板１１と、裏面電極型太陽電池セル１０の受光面となる半導体基板１１の凹凸形状の表面上に形成される反射防止膜１２と、裏面電極型太陽電池セル１０の裏面となる半導体基板１１の裏面上に形成されるパッシベーション膜１３と、第１導電型用電極１４と、第２導電型用電極１５とを備えている。第１導電型及び第２導電型は、いずれか一方をｐ型とし、他方をｎ型にするとよい。
【００３４】
半導体基板１１の裏面には、第１導電型不純物が拡散して形成された第１導電型不純物拡散領域１６と、第２導電型不純物が拡散して形成された第２導電型不純物拡散領域１７とが所定の間隔を空けて交互に形成されている。第１導電型用電極１４と第１導電型不純物拡散領域１６とはパッシベーション膜１３に設けられたコンタクトホールを介して接続されている。同様に、第２導電型用電極１５と第２導電型不純物拡散領域１７とはパッシベーション膜１３に設けられたコンタクトホールを介して電気的に接続されている。
【００３５】
配線シート２０は、絶縁性基材２１と、絶縁性基材２１の表面上に配置された第１配線２２及び第２配線２３とを備えている。第１配線２２には第１導電型用電極１４が接続され、第２配線２３には第２導電型用電極１５が接続される。
【００３６】
（裏面電極型太陽電池セルの電極間ピッチ及び位置決め用基準部）
図２は、裏面電極型太陽電池セル１０の裏面から見た模式的な平面図である。
【００３７】
第１導電型用電極１４及び第２導電型用電極１５は、第１方向に延在し、第１方向と交差する第２方向に交互に配置されている。そして、裏面電極型太陽電池セル１０の裏面には、第２方向において隣り合う第１導電型用電極１４と第２導電型用電極１５との間隔が第１間隔ａとなる第１領域Ｒ１１と、第２方向において隣り合う第１導電型用電極１４と第２導電型用電極１５との間隔が第１間隔ａよりも広い第２間隔ｂとなる第２領域Ｒ１２とが含まれている。
【００３８】
このように、第１導電型用電極１４と第２導電型用電極１５との間隔を均一にせず、第１導電型用電極１４と第２導電型用電極１５との間隔を場所に応じて変えることで、裏面電極型太陽電池セルの電極と配線シートの配線とがずれ難い場所においては第１導電型用電極１４と第２導電型用電極１５との間隔を狭くし、裏面電極型太陽電池セルの電極と配線シートの配線とがずれ易い場所においては第１導電型用電極１４と第２導電型用電極１５との間隔を広くすることができる。これにより、裏面電極型太陽電池セルの電極と配線シートの配線とがずれ難い場所においては、裏面電極型太陽電池セルの電極と配線シートの配線とがずれ易い場所において必要とされる電極間間隔に拘束されなくなるため、発電効率の向上に資することになる。
【００３９】
第１領域Ｒ１１を第２領域Ｒ１２よりも裏面電極型太陽電池セル１０の中心側に設けることにより、例えば図２に図示したように第１領域Ｒ１１の第２方向の両側に第２領域Ｒ１２を設けることができ、第１領域Ｒ１１の第２方向の片側のみに第２領域Ｒ１２を設ける場合に比べて、第２領域Ｒ１２において必要とされる第１導電型用電極１４と第２導電型用電極１５との間隔を狭くすることができる。
【００４０】
また、裏面電極型太陽電池セル１０の裏面には、裏面電極型太陽電池セルと配線シートとを接続する際に裏面電極型太陽電池セルと配線シートとの相対的な位置を決めるための位置決め用基準部となるアライメントマーク１８が設けられている。
【００４１】
アライメントマーク１８は、第２領域Ｒ１２よりも第１領域Ｒ１１に近い位置に配置することが好ましく、図２に図示したように第１領域Ｒ１１内に設けることが好ましい。これにより、第１領域Ｒ１１を裏面電極型太陽電池セルの電極と配線シートの配線とがずれ難い場所とし、第２領域Ｒ１２を裏面電極型太陽電池セルの電極と配線シートの配線とがずれ易い場所とすることができる。
【００４２】
アライメントマーク１８は、図２に図示したように、裏面電極型太陽電池セル１０の第１方向における両端部にそれぞれ配置することが好ましい。このようにすると、配線シート２０の第１方向における両端部にそれぞれアライメントターゲット領域を配置することで、裏面電極型太陽電池セルと配線シートとを接続する際に裏面電極型太陽電池セル１０の第１方向が配線シート２０の第１方向に対して傾くことを防止することができ、より高精度に位置合わせができる。
【００４３】
（配線シートの配線間ピッチ及び位置決め用基準部）
図３は、配線シート２０の裏面から見た模式的な平面図である。
【００４４】
配線シート２０は、裏面電極型太陽電池セル１０が配置されて接続されるセル配置部を配線シート２０の表面に備えている。前記セル配置部に備えられる第１配線２２及び第２配線２３は、第１方向に延在し、第１方向と交差する第２方向に交互に配置されている。そして、前記セル配置部は、第２方向において隣り合う第１配線２２と第２配線２３との間隔が第１間隔ａとなる第１領域Ｒ２１と、第２方向において隣り合う第１配線２２と第２配線２３との間隔が第１間隔ａよりも広い第２間隔ｂとなる第２領域Ｒ２２とを含んでいる。本実施形態では、前記セル配置部は、１つの第１領域Ｒ２１と、２つの第２領域Ｒ２２とを合わせた領域になっている。なお、第１配線２２と第２配線２３とは、裏面電極型太陽電池セル１０の第１導電型用電極１４と第２導電型用電極１５とにそれぞれ対応するように櫛歯状に配置されている。
【００４５】
このように、第１配線２２と第２配線２３との間隔を均一にせず、第１配線２２と第２配線２３との間隔を場所に応じて変えることで、裏面電極型太陽電池セルの電極と配線シートの配線とがずれ難い場所においては第１配線２２と第２配線２３との間隔を狭くし、裏面電極型太陽電池セルの電極と配線シートの配線とがずれ易い場所においては第１配線２２と第２配線２３との間隔を広くすることができる。これにより、裏面電極型太陽電池セルの電極と配線シートの配線とがずれ難い場所においては、裏面電極型太陽電池セルの電極と配線シートの配線とがずれ易い場所において必要とされる配線間間隔に拘束されなくなるため、発電効率の向上に資することになる。
【００４６】
第１領域Ｒ２１を第２領域Ｒ２２よりも前記セル配置部の中心側に設けることにより、例えば図３に図示したように第１領域Ｒ２１の第２方向の両側に第２領域Ｒ２２を設けることができ、第１領域Ｒ２１の第２方向の片側のみに第２領域Ｒ２２を設ける場合に比べて、第２領域Ｒ２２において必要とされる第１配線２２と第２配線２３との間隔を狭くすることができる。
【００４７】
なお、第２領域において裏面電極型太陽電池セルの電極と配線シートの配線とのずれ量が大きい場合でも、電極が対応する配線からはみ出さないようにするために、第２領域Ｒ２２における第１配線２２の第２方向の幅Ｗ２および第２配線２３の第２方向の幅ｗ２を、第１領域Ｒ２１における第１配線２２の第２方向の幅Ｗ１および第２配線２３の第２方向の幅ｗ１よりも広くすることが望ましい。幅Ｗ１と幅ｗ１は同一であってもよく、互いに異なっていてもよい。同様に、幅Ｗ２と幅ｗ２は同一であってもよく、互いに異なっていてもよい。また、２つの領域に跨がっている配線の第２方向の幅はどちらの領域の幅を採用してもよい。
【００４８】
また、配線シート２０の表面には、裏面電極型太陽電池セルと配線シートとを接続する際に裏面電極型太陽電池セルと配線シートとの相対的な位置を決めるための位置決め用基準部となるアライメントターゲット領域２４が設けられている。アライメントターゲット領域２４は、第１配線２２と第２配線２３の異形状部（他の第１配線２２と第２配線２３より第１方向において短い部分）としている。
【００４９】
アライメントターゲット領域２４は、第２領域Ｒ２２よりも第１領域Ｒ２１に近い位置に配置することが好ましく、図３に図示したように第１領域Ｒ２１内に設けることが好ましい。これにより、第１領域Ｒ２１を裏面電極型太陽電池セルの電極と配線シートの配線とがずれ難い場所とし、第２領域Ｒ２２を裏面電極型太陽電池セルの電極と配線シートの配線とがずれ易い場所とすることができる。
【００５０】
アライメントターゲット領域２４は、図３に図示したように、配線シート２０の第１方向における両端部にそれぞれ配置することが好ましい。このようにすると、裏面電極型太陽電池セル１０の第１方向における両端部にそれぞれアライメントマークを配置することで、裏面電極型太陽電池セルと配線シートとを接続する際に裏面電極型太陽電池セル１０の第１方向が配線シート２０の第１方向に対して傾くことを防止することができ、より高精度に位置合わせができる。
【００５１】
（裏面電極型太陽電池セルと配線シートとの接続）
裏面電極型太陽電池セル１０のアライメントマーク１８と配線シート２０のアライメントターゲット領域２４とが重なるように裏面電極型太陽電池セル１０と配線シート２０とを位置合わせしてから、裏面電極型太陽電池セル１０と配線シート２０とを接続する。
【００５２】
配線シート２０の裏面からアライメントマーク１８およびアライメントターゲット領域２４を観察する場合には、裏面電極型太陽電池セル１０側から、裏面電極型太陽電池セル１０を透過する光を照射してアライメントマーク１８およびアライメントターゲット領域２４を確認する。または、配線シート２０側から、裏面電極型太陽電池セル１０を反射する光を照射してアライメントマーク１８およびアライメントターゲット領域２４を確認する。
【００５３】
裏面電極型太陽電池セル１０の表面からアライメントマーク１８およびアライメントターゲット領域２４を観察する場合には、配線シート２０側から、裏面電極型太陽電池セル１０を透過する光を照射してアライメントマーク１８およびアライメントターゲット領域２４を確認する。
【００５４】
アライメントマーク１８が端部に配置された第１導電型用電極１４および第２導電型用電極１５は、第１配線２２および第２配線２３と高精度に位置決めできる。ここで、アライメントマーク１８が端部に配置された第１導電型用電極１４および第２導電型用電極１５を便宜上基準電極と称し、基準電極と接続される第１配線２２および第２配線２３を便宜上基準配線と称する。
【００５５】
基準電極以外の第１導電型用電極１４および第２導電型用電極１５は、熱などによって生じる半導体基板１１（図１参照）の伸縮（図４においては伸長）によって第２方向（図４では左方向）にずれる。また、基準配線以外の第１配線２２および第２配線２３は、熱などによって生じる絶縁性基材２１（図１参照）の伸縮（図４においては収縮）によって第２方向（図４では右方向）にずれる。
【００５６】
図４の場合では、近い方の基準電極からの第２方向の距離がＸである電極のずれ量をΔＸ１とし、近い方の基準電極からの第２方向の距離がＸである電極に対応する配線のずれ量をΔＸ２とすると、近い方の基準電極からの第２方向の距離がＸである電極とそれに対応する配線とは、（ΔＸ１＋ΔＸ２）分、中心がずれることになる。
【００５７】
しかしながら、近い方の基準電極からの第２方向の距離がＸである電極とそれに隣り合っている電極との間隔ｂを、基準電極間の間隔ａよりも、（ΔＸ１＋ΔＸ２）以上広くすれば、近い方の基準電極からの第２方向の距離がＸである電極とそれに対応する配線とにずれが生じても、近い方の基準電極からの第２方向の距離がＸである電極に対応する配線とその配線に隣り合う電極との間隔ｃを、基準電極間の間隔ａと同様以上に確保できる。当該確保は、本発明に係る裏面電極型太陽電池セルおよび配線シートによって可能となる。なお、半導体基板１１の材質および絶縁性基材２１の材質が実質的に均質であれば、電極のずれ量ΔＸ１および配線のずれ量ΔＸ２は、近い方の基準電極からの第２方向の距離Ｘに略比例するので、近い方の基準電極からの第２方向の距離Ｘが大きい位置、すなわち、基準電極からより遠い位置に配置される電極であるほど、第２方向に隣り合う電極との間隔をより大きくする、また、基準電極からより遠い位置に配置される配線であるほど、第２方向に隣り合う配線との間隔をより大きくすることが好ましい。この場合、本実施形態のように、２つの領域に分けてもよく、また、後述する第２実施形態のように、３つ以上の領域に分けてもよい。
【００５８】
＜第２実施形態＞
図５に示す本実施形態に係る裏面電極型太陽電池セル１０は、第１実施形態に係る裏面電極型太陽電池セル１０と比較して、第１領域Ｒ１１と第２領域Ｒ１２との間に、第２方向において隣り合う第１導電型用電極１４と第２導電型用電極１５との間隔が第１間隔ａよりも広く第２間隔ｂより狭い第３間隔ｃとなる第３領域Ｒ１３をさらに含んでいる点が異なる。
【００５９】
図６に示す本実施形態に係る配線シート２０は、第１実施形態に係る配線シート２０と比較して、前記セル配置部が、第１領域Ｒ２１と第２領域Ｒ２２との間に、第２方向において隣り合う第１配線２２と第２配線２３との間隔が第１間隔ａよりも広く第２間隔ｂより狭い第３間隔ｃとなる第３領域Ｒ２３をさらに含んでいる点が異なる。
【００６０】
第２実施形態では、電極間間隔及び配線間間隔をより細かく調整できるため、より一層発電効率の向上に資することができる。なお、第３間隔ｃは一種類だけでもよく、複数種類であってもよい。第３間隔ｃが複数種類である場合は、第３間隔ｃが第１領域側から第２領域側にかけて段階的に広くなるようにすればよい。
【００６１】
なお、第２領域および第３領域において裏面電極型太陽電池セルの電極と配線シートの配線とのずれ量が大きい場合でも、電極が対応する配線からはみ出さないようにするために、第３領域Ｒ２３における第１配線２２の第２方向の幅Ｗ３および第２配線２３の第２方向の幅ｗ３を、第１領域Ｒ２１における第１配線２２の第２方向の幅Ｗ１および第２配線２３の第２方向の幅ｗ１よりも広く、第２領域Ｒ２２における第１配線２２の第２方向の幅Ｗ２および第２配線２３の第２方向の幅ｗ２よりも狭くすることが望ましい。幅Ｗ３と幅ｗ３は同一であってもよく、互いに異なっていてもよい。また、幅Ｗ３は一種類だけでもよく、複数種類であってもよい。幅Ｗ３が複数種類である場合は、幅Ｗ３が第１領域側から第２領域側にかけて段階的に広くなるようにすればよい。同様に、幅ｗ３は一種類だけでもよく、複数種類であってもよい。幅ｗ３が複数種類である場合は、幅ｗ３が第１領域側から第２領域側にかけて段階的に広くなるようにすればよい。
【００６２】
＜太陽電池モジュール＞
図７は、本発明に係る太陽電池モジュールの一例の模式的な縦断面図である。図７に示す太陽電池モジュールは、上述した第１または第２実施形態に係る配線シート付き太陽電池セルと、当該配線シート付き太陽電池セルを封止する封止材３１と、封止材３１の裏面に設けられる裏面保護シート３２と、封止材３１の表面に設けられる透明基板３３とを備えている。
【００６３】
＜その他＞
以上、本発明の実施形態につき説明したが、本発明の範囲はこれに限定されるものではなく、発明の主旨を逸脱しない範囲で種々の変更を加えて実施することができる。
【００６４】
上述した実施形態では、裏面電極型太陽電池セルと配線シートとを接続する際に裏面電極型太陽電池セルと配線シートとの相対的な位置を決めるための位置決め用基準部として、アライメントマークとアライメントターゲット領域を用いたが、例えば、位置決め用の孔を裏面電極型太陽電池セルと配線シートの双方に設け、ピンを用いて位置決め用の孔を揃えるようにしてもよく、また、例えば、特定の電極及び特定の配線を位置決め用基準部として、双方の中心を揃えるようにしてもよい。
【００６５】
上述した実施形態では、１つの配線シートに１つの裏面電極型太陽電池セルを接続する形態であったが、当然の事ながら、１つの配線シートに複数の裏面電極型太陽電池セルを接続する形態であってもよい。例えば、１つの配線シートに３つの裏面電極型太陽電池セルを接続する場合には、配線シートを図８に示す例のように３つのセル配置部２５を備える構成とし、個々のセル配置部２５に対して、上述した第１領域Ｒ２１および第２領域Ｒ２２、または、上述した第１領域Ｒ２１、第２領域Ｒ２２、および第３領域Ｒ２３を設けるようにする。
【００６６】
上述した実施形態では、電極および配線が第１方向に連続して延在しているが、電極および配線を接続したときに、電極および配線が第１方向に連続して延在している場合と同一の導電経路パターンが形成できるのであれば、電極および配線の少なくとも一方が第１方向に点在していてもよい。
【符号の説明】
【００６７】
１０  裏面電極型太陽電池セル
１１  半導体基板
１２  反射防止膜
１３  パッシベーション膜
１４  第１導電型用電極
１５  第２導電型用電極
１６  第１導電型不純物拡散領域
１７  第２導電型不純物拡散領域
１８  アライメントマーク
２０  配線シート
２１  絶縁性基材
２２  第１配線
２３  第２配線
２４  アライメントターゲット領域
２５  セル配置部
３１  封止材
３２  透明基板
３３  裏面保護シート
Ｒ１１、Ｒ２１  第１領域
Ｒ１２、Ｒ２２  第２領域
Ｒ１３、Ｒ２３  第３領域
【図２】
2014013817.tif 000003
【図５】
2014013817.tif 000004
【図１】
2014013817.tif 000005
【図３】
2014013817.tif 000006
【図４】
2014013817.tif 000007
【図６】
2014013817.tif 000008
【図７】
2014013817.tif 000009
【図８】
2014013817.tif 000010